(57)【要約】【課題】読取対象となる原稿の設置位置や読取条件が容易に把握でき、画像読取ミスの軽減が可能な画像読取装置及び該画像読取装置を用いた画像形成装置を提供する。【解決手段】読み取り対象の原稿ｄが設置される原稿設置部１１と、原稿設置部１１に設置された原稿ｄを押えるとともに該原稿ｄの画像を読み取る原稿押え・原稿読取部１２と、原稿押え・原稿読取部１２の読み取り条件を記憶する記憶部と、前記記憶部に記憶された複数の読み取り条件のうち、いずれか一つの読み取り条件に基づいて原稿押え・原稿読取部１２を制御する制御部と、を備え、原稿設置部１１は、前記制御部が使用する読み取り条件に基づいた情報を表示する表示装置１１ａを原稿ｄを設置する領域に有する。【選択図】図１
2010213055.tif 000002
【特許請求の範囲】
【請求項１】
読み取り対象の原稿が設置される原稿設置部と、
前記原稿の画像を読み取る原稿読取部と、
前記原稿設置部に設置された原稿を押える原稿押え部と、
前記原稿読取部の読み取り条件を記憶する記憶部と、
前記記憶部に記憶された複数の読み取り条件のうち、いずれか一つの読み取り条件に基づいて前記原稿読取部を制御する制御部と、
を備え、
前記原稿設置部は、前記制御部が使用する読み取り条件に基づいた情報を表示する表示装置を原稿を設置する領域に有することを特徴とする画像読取装置。
【請求項２】
前記表示装置が表示する情報は、パターンで表示される原稿を設置する領域における該原稿の読み取り領域情報に加えて、読取可能な原稿サイズ情報、原稿の縦横情報、カラーまたは白黒の設定情報から少なくとも１つの情報であることを特徴とする請求項１に記載の画像読取装置。
【請求項３】
前記原稿読取部は、原稿押え部に配置されることを特徴とする請求項１または２に記載の画像読取装置。
【請求項４】
前記原稿設置部に設置された原稿を前記原稿読取部に搬送する原稿搬送機構を備えることを特徴とする請求項１または２に記載の画像読取装置。
【請求項５】
前記原稿設置部に設置された原稿を原稿排出部まで排出する原稿搬送機構を備え、
前記原稿読取部は、前記原稿設置部から原稿排出部までの搬送経路上に配置されることを特徴とする請求項１または２に記載の画像読取装置。
【請求項６】
前記表示装置は、液晶ディスプレイからなることを特徴とする請求項１〜５のいずれかに記載の画像読取装置。
【請求項７】
前記表示装置は、発光ダイオードからなることを特徴とする請求項１〜５のいずれかに記載の画像読取装置。
【請求項８】
請求項１〜７のいずれかに記載の画像読取装置を備えることを特徴とする画像形成装置。
【発明の詳細な説明】
【技術分野】
【０００１】
本発明は、複写機やスキャナなどの画像読取装置及び該画像読取装置を搭載した画像形成装置に関するものである。
【背景技術】
【０００２】
複写機などの画像形成装置では、スキャナ部として原稿の画像を読み取り、読み取った画像の印刷を行う装置や、スキャナのように原稿の画像を読み取り、接続された他の機器に読取データを出力する装置などの画像読取装置を備えている。
【０００３】
このような画像読取装置では、読取対象となる原稿サイズや原稿設置位置の表示等については、図１８に示すように、原稿読取部の縁に原稿位置合わせや原稿サイズ等が印刷などにより記載されていたり、簡易な表示のみとなっていたりしていたため、原稿設置位置の特定や使用方法が分かりにくくなっていた。
【０００４】
ここで、特許文献１では、印刷可能領域を使用者（ユーザ）が認識できる機能を備えた画像読取装置が提案されている。
しかしながら、この技術にあっては、印刷可能領域を表示する光源として原稿台の枠に沿って配置したＬＥＤ（発光ダイオード）を利用しており、単に主走査方向および副走査方向の位置のみを発光させて表示するにとどまっているため、印刷可能領域全体を認識することが困難であった。
【発明の概要】
【発明が解決しようとする課題】
【０００５】
本発明は、以上の従来技術における問題に鑑みてなされたものであり、読取対象となる原稿の設置位置や読取条件が容易に把握でき、画像読取ミスの軽減が可能な画像読取装置及び該画像読取装置を用いた画像形成装置を提供することを目的とする。
【課題を解決するための手段】
【０００６】
前記課題を解決するために提供する本発明は、以下の通りである。
〔１〕  読み取り対象の原稿が設置される原稿設置部と、前記原稿の画像を読み取る原稿読取部と、前記原稿設置部に設置された原稿を押える原稿押え部と、前記原稿読取部の読み取り条件を記憶する記憶部と、前記記憶部に記憶された複数の読み取り条件のうち、いずれか一つの読み取り条件に基づいて前記原稿読取部を制御する制御部と、を備え、前記原稿設置部は、前記制御部が使用する読み取り条件に基づいた情報を表示する表示装置を原稿を設置する領域に有することを特徴とする画像読取装置。
〔２〕  前記表示装置が表示する情報は、パターンで表示される原稿を設置する領域における該原稿の読み取り領域情報に加えて、読取可能な原稿サイズ情報、原稿の縦横情報、カラーまたは白黒の設定情報から少なくとも１つの情報であることを特徴とする前記〔１〕に記載の画像読取装置。
〔３〕  前記原稿読取部は、原稿押え部に配置されることを特徴とする前記〔１〕または〔２〕に記載の画像読取装置。
〔４〕  前記原稿設置部に設置された原稿を前記原稿読取部に搬送する原稿搬送機構を備えることを特徴とする前記〔１〕または〔２〕に記載の画像読取装置。
〔５〕  前記原稿設置部に設置された原稿を原稿排出部まで排出する原稿搬送機構を備え、前記原稿読取部は、前記原稿設置部から原稿排出部までの搬送経路上に配置されることを特徴とする前記〔１〕または〔２〕に記載の画像読取装置。
〔６〕  前記表示装置は、液晶ディスプレイからなることを特徴とする前記〔１〕〜〔５〕のいずれかに記載の画像読取装置。
〔７〕  前記表示装置は、発光ダイオードからなることを特徴とする前記〔１〕〜〔５〕のいずれかに記載の画像読取装置。
〔８〕  前記〔１〕〜〔７〕のいずれかに記載の画像読取装置を備えることを特徴とする画像形成装置。
【発明の効果】
【０００７】
本発明によれば、原稿設置部の原稿を設置する領域（原稿設置面）に原稿読み取り条件等の情報が表示されるため、ユーザは原稿設置部における適切な原稿設定位置や原稿読み取り条件を容易に把握でき、操作性が向上し、画像読取ミスを軽減することができる。また、原稿設置面上に画像読取装置が読み取る原稿サイズがエリアとして表示されるため、ユーザは原稿をセットする際に読み取らせたい部分を適切にセットすることができる。
【図面の簡単な説明】
【０００８】
【図１】本発明に係る画像読取装置の第１の実施形態における構成を示す断面図である。
【図２】本発明の画像読取装置における画像設置部及び操作パネルの構成を示す概略図である。
【図３】図１の画像読取装置における原稿押え・原稿読取部の構成を示す断面図である。
【図４】本発明に係る画像形成装置の第１の実施形態における構成を示すブロック図である。
【図５】本発明の画像読取装置における操作パネルの表示装置及び原稿設置部の表示装置の表示例（１）を示す図である。
【図６】本発明の画像読取装置における操作パネルの表示装置及び原稿設置部の表示装置の表示例（２）を示す図である。
【図７】本発明の画像読取装置における原稿設置部の表示装置の表示例（３）を示す図である。
【図８】本発明の画像読取装置における原稿設置部の表示装置の原稿サイズ領域パターンと原稿との関係を示す図である。
【図９】本発明の画像読取装置における原稿設置部の表示動作（１）を示すフローチャートである。
【図１０】本発明の画像読取装置における原稿設置部の表示動作（２）を示すフローチャートである。
【図１１】本発明の画像読取装置において読み取り条件変更の有無それぞれに対応した原稿設置部制御部の動作を示すフローチャートである。
【図１２】本発明に係る画像読取装置の第２の実施形態における構成を示す断面図である。
【図１３】図１２の画像読取装置における原稿読取部の構成を示す断面図である。
【図１４】本発明に係る画像形成装置の第２の実施形態における構成を示すブロック図である。
【図１５】本発明に係る画像読取装置の第３の実施形態における構成を示す断面図である。
【図１６】図１５の画像読取装置における原稿送り・読取部の構成を示す断面図である。
【図１７】本発明に係る画像形成装置の第３の実施形態における構成を示すブロック図である。
【図１８】従来の画像読取装置における原稿サイズや原稿設置位置の表示例を示す図である。
【発明を実施するための形態】
【０００９】
以下に、本発明に係る画像読取装置及び画像形成装置の構成について図面を参照して説明する。
まず、本発明に係る画像読取装置は、読み取り対象の原稿が設置される原稿設置部と、前記原稿の画像を読み取る原稿読取部と、前記原稿設置部に設置された原稿を押える原稿押え部と、前記原稿読取部の読み取り条件（原稿読み取り条件ともいう）を記憶する記憶部と、前記記憶部に記憶された複数の読み取り条件のうち、いずれか一つの読み取り条件に基づいて前記原稿読取部を制御する制御部と、を備え、前記原稿設置部は、前記制御部が使用する読み取り条件に基づいた情報を表示する表示装置を原稿を設置する領域に有することを特徴とするものである。以下、本発明の実施例に基づいて本発明の内容を説明する。
【００１０】
（第１の実施形態）
図１は、本発明に係る画像読取装置の第１の実施形態における構成を示す断面図である。
画像読取装置１０は、前記原稿押え部と原稿読取部を一体化させた構成となっており、読み取り対象の原稿ｄが設置される原稿設置部１１と、原稿設置部１１に設置された原稿ｄを押えるとともに該原稿ｄの画像を読み取る原稿押え・原稿読取部１２と、原稿押え・原稿読取部１２の読み取り条件を記憶する記憶部（図４における記憶部３  １２ｍ）と、前記記憶部に記憶された複数の読み取り条件のうち、いずれか一つの読み取り条件に基づいて原稿押え・原稿読取部１２を制御する制御部（図４における原稿押え・原稿読取制御部１２ｓ）と、を備える。
【００１１】
また、図２に示すように、原稿設置部１１は、その平坦な主面を原稿ｄを設置する領域（原稿設置領域、原稿設置面）としており、該原稿設置面に前記制御部が使用する読み取り条件に基づいた情報を表示する表示装置１１ａを有する。この表示装置１１ａは、液晶ディスプレイ（ＬＣＤ）からなることが好ましい。あるいは発光ダイオード（ＬＥＤ）からなるものとしてもよい。
【００１２】
また、画像読取装置１０において、原稿設置部１１はユーザがその主面を見やすい位置に配置されるが、該原稿設置部１１に隣接して操作パネル１８が設けられている。この操作パネル１８は従来公知のものでユーザが画像読取装置１０の諸条件を設定可能に入力でき、操作パネル１８のＬＣＤにそれらの条件を目視可能に表示するものである。
【００１３】
原稿押え・原稿読取部１２は、原稿設置部１１の原稿設置面に対して開閉可能に取り付けられた部材であり、ユーザが原稿押え・原稿読取部１２の一端を引き上げると原稿設置部１１の原稿設置面が露出して原稿ｄの設置が可能となり（開状態）、原稿押え・原稿読取部１２を原稿設置部１１の原稿設置面に重なるように戻すと原稿設置面上の原稿ｄを上から覆って位置を固定するように押えるようになる（閉状態）。
【００１４】
図３に、原稿押え・原稿読取部１２の断面構成を示す。
原稿押え・原稿読取部１２は、箱型の筐体１２ｈとコンタクトガラス１２ｇとからなり原稿ｄを上から押えるケース部材と、筐体１２ｈの中に収納され、原稿設置部１１上に設置された原稿ｄの幅方向に延びるライン状の光源１２ｂからの光線をコンタクトガラス１２ｇを透過させて原稿ｄに出射するとともに、ミラー１２ｃで原稿ｄからの反射光を所定方向に反射しながら、原稿ｄの長手方向（副走査方向）に走査（スキャン）されるスキャナ用光源ユニット１２ａと、原稿ｄの反射光を集光するレンズ１２ｄと、レンズ１２ｄで集光された光を検知して信号を出力するスキャナセンサ１２ｅと、スキャナセンサ１２ｅからの信号を受けるスキャナ制御部１２ｆと、から構成されている。なお、スキャナ制御部１２ｆは、原稿押え・原稿読取制御部（後述）を経由して、スキャナセンサ１２ｅにより読み取られた画像を設定された用紙サイズあるいは印刷倍率に応じた印刷データとして出力する画像処理部が接続されている。
【００１５】
つぎに、本発明の画像読取装置を搭載した画像形成装置について説明する。
図４は、本発明に係る画像形成装置の第１の実施形態の構成を示すブロック図である。
画像形成装置１００は、前述した画像読取装置１０と、画像形成装置本体１００Ａとを相互に情報のやり取り可能に接続してなるものである。
【００１６】
ここで、画像読取装置１０は、原稿設置部１１，原稿押え・原稿読取部１２，操作パネル１８の各機能ブロックを有する。このうち、原稿設置部１１においては、表示装置（表示部２）１１ａ，記憶部２  １１ｍ，原稿設置部制御部１１ｓを備え、原稿設置部制御部１１ｓが記憶部２  １１ｍとの情報のやり取り（信号５）をするとともに、表示装置（表示部２）１１ａの表示制御（信号４）を行うようになっている。また、原稿設置部制御部１１ｓは、操作パネル制御部１８ｓ，原稿押え・原稿読取制御部１２ｓ，画像形成装置制御部１００ｓそれぞれとも通信可能に接続されている（信号１１，１２，１４）。
【００１７】
原稿押え・原稿読取部１２においては、光源ユニット１２ａ，スキャナセンサ１２ｅ，用紙サイズ検知センサ１２ｉ，原稿押え部開閉検知部１２ｊ，記憶部３  １２ｍ，原稿押え・原稿読取制御部１２ｓを備え、原稿押え・原稿読取制御部１２ｓが記憶部３  １２ｍとの情報のやり取り（信号１０）をしたり用紙サイズ検知センサ１２ｉ，原稿押え部開閉検知部１２ｊの情報（信号６，７）を受けたりするとともに、光源ユニット１２ａの駆動制御（信号９）を行い、さらにスキャナセンサ１２ｅの検知信号（信号８）をスキャナ制御部１２ｆを介して受けるようになっている。また、原稿押え・原稿読取制御部１２ｓは、原稿設置部制御部１１ｓ，画像形成装置制御部１００ｓそれぞれとも通信可能に接続されている（信号１２，１５）。
【００１８】
操作パネル１８においては、表示部１  １８ａ，入力部１８ｋ，記憶部１  １８ｍ，操作パネル制御部１８ｓを備え、操作パネル制御部１８ｓが記憶部１  １８ｍとの情報のやり取り（信号３）をしたり入力部１８ｋの入力情報（信号２）を受けたりするとともに、表示部１  １８ａの表示制御（信号１）を行うようになっている。また、操作パネル制御部１８ｓは、原稿設置部制御部１１ｓ，画像形成装置制御部１００ｓそれぞれとも通信可能に接続されている（信号１１，１３）。
【００１９】
画像形成装置本体１００Ａにおいては、画像形成装置制御部１００ｓ，記憶部４  １００ｍを備え、画像形成装置制御部１００ｓが記憶部４  １００ｍとの情報のやり取り（信号１６）をするとともに、原稿設置部制御部１１ｓ，原稿押え・原稿読取制御部１２ｓ，操作パネル制御部１８ｓそれぞれと制御情報の通信（信号１３〜１５）や読み取り画像情報の受信（信号１５）を行っている。
【００２０】
なお、図４の構成では、機能ブロックごと（原稿設置部１１、原稿押え・原稿読取り部１２・・・）に制御部、記憶部を設けているが、１つの制御部、記憶部に各機能を取込むようにしてもよい。また、原稿読取部が外部機器と接続されている場合は、外部機器上に本発明と同じ機能をもつ制御部と記憶部を持たせればよい。
【００２１】
ここで、ユーザが原稿設置部１１に原稿ｄを設置しようとする際には、表示装置１１ａに原稿押え・原稿読取制御部１２ｓが使用する読み取り条件に基づいた情報が表示されるようになっている。
【００２２】
図５，図６に、原稿押え・原稿読取制御部１２ｓが使用する読み取り条件に応じた操作パネル１８の表示装置（表示部１）１８ａにおける表示例と原稿設置部１１の表示装置（表示部２）１１ａにおける表示例を示す。なお、ここでは表示装置がＬＣＤからなる場合の表示例を示すが、ＬＥＤによるドット表示、７セグＬＥＤとＬＥＤランプの併用、ＬＣＤとＬＥＤの併用等についても、基本的に同様である。
【００２３】
表示装置１１ａが表示する情報は、パターンで表示される原稿の読み取り領域情報（画像読取装置１０が読み取る原稿サイズの領域情報）であるが、これに加えて、読取可能な原稿サイズ情報、原稿の縦横情報、カラーまたは白黒の設定情報から少なくとも１つの文字情報を表示することが好ましい。
【００２４】
また、このとき表示される情報は、読み取り条件として設定された条件が記憶部３  １２ｍに記憶され、該記憶部３  １２ｍの情報に基づいて制御部が表示を行うものである。なお、読み取り条件として設定された条件には、デフォルトの読み取り条件、操作パネル１８等で入力設定された読み取り条件、読み取り開始等の条件など種々の条件があり、それらの条件に応じて表示される情報が切替わる。
【００２５】
図５では、例えばデフォルトの読み取り条件に基づいた表示例を示している。
デフォルトの読み取り条件が、原稿サイズの設定が「自動選択」、カラー／白黒設定が「カラー」の場合、表示装置１１ａは、図５（ａ）に示すように、読み取り可能な原稿サイズの最大の領域が所定のパターンＰで表示され（図では白色表示）、原稿サイズの自動選択を意味する「自動」とカラー設定を意味する「カラー」の文字が表示されている。また、原稿の読み取り面の向きと原稿位置合わせのための文字及びマークが表示されている。なお、このとき操作パネル１８側の表示装置（表示部１）１８ａでは、「自動選択」と「カラー」の部分が反転表示されている（図５（ｂ））。
【００２６】
なお、原稿サイズの設定が「自動選択」のときには、原稿押え・原稿読取部１２に設けられた用紙サイズ検知センサ（用紙サイズ検知センサ１２ｉ）が原稿設置部１１上の原稿ｄのサイズを検知し、記憶部３  １２ｍに記憶されている読み取り条件の中からその検知サイズに対応した適切な読み取り条件を自動的に選択して設定するようになっている。
【００２７】
また、デフォルトの読み取り条件が、原稿サイズの設定が「自動選択」、カラー／白黒設定が「白黒」の場合には、表示装置１１ａは、図５（ａ）の表示状態における「カラー」の文字表示から白黒設定を意味する「白黒」の文字表示に変わり、それ以外は図５（ａ）と同様に表示されている（図５（ｃ））。なお、このとき操作パネル１８側の表示装置（表示部１）１８ａでは、「自動選択」と「白黒」の部分が反転表示されている（図５（ｄ））。
【００２８】
なお、このように表示されたデフォルトの読み取り条件がユーザが考えている条件にマッチしていない場合には、ユーザは操作パネル１８の入力部１８ｋから所望の読み取り条件を入力して設定することが可能である。
【００２９】
図６では、例えば操作パネル１８等で入力設定された読み取り条件に基づいた表示例を示している。
設定された読み取り条件が、原稿サイズの設定が「Ａ３」、「ヨコ」、カラー／白黒設定が「カラー」の場合、表示装置１１ａは、図６（ａ）に示すように、読み取る原稿サイズ（Ａ３ヨコ）に相当する領域が所定のパターンＰで表示され（図では白色表示）、原稿サイズのＡ３ヨコを意味する「Ａ３」、「ヨコ」とカラー設定を意味する「カラー」の文字が表示されている。また、原稿の読み取り面の向きと原稿位置合わせのための文字及びマークが表示されている。なお、このとき操作パネル１８側の表示装置（表示部１）１８ａでは、「Ａ３ヨコ」と「カラー」の部分が反転表示されている（図６（ｂ））。
【００３０】
また、設定された読み取り条件が、原稿サイズの設定が「Ａ４」、「タテ」、カラー／白黒設定が「カラー」の場合には、表示装置１１ａは、図６（ａ）の表示状態における読み取る原稿サイズ（Ａ３ヨコ）に相当する領域がＡ４タテの原稿サイズに相当する所定のパターンＰに変更されて表示され（図では白色表示）、かつ「Ａ３」、「ヨコ」の文字表示から「Ａ４」、「タテ」の文字表示に変わり、それ以外は図６（ａ）と同様に表示されている（図６（ｃ））。なお、このとき操作パネル１８側の表示装置（表示部１）１８ａでは、「Ａ４タテ」と「カラー」の部分が反転表示されている（図６（ｄ））。
【００３１】
また、設定された読み取り条件が、原稿サイズの設定が「Ａ４」、「ヨコ」、カラー／白黒設定が「カラー」の場合には、表示装置１１ａは、図６（ａ）の表示状態における読み取る原稿サイズ（Ａ３ヨコ）に相当する領域がＡ４ヨコの原稿サイズに相当する所定のパターンＰに変更されて表示され（図では白色表示）、かつ「Ａ３」、「ヨコ」の文字表示から「Ａ４」、「ヨコ」の文字表示に変わり、それ以外は図６（ａ）と同様に表示されている（図６（ｅ））。なお、このとき操作パネル１８側の表示装置（表示部１）１８ａでは、「Ａ４ヨコ」と「カラー」の部分が反転表示されている（図６（ｆ））。
【００３２】
なお、白黒設定時には、白黒設定になっていることを原稿設置部１１の表示装置１１ａに「白黒」の文字で表示するとともに、文字色や背景色を白黒で表現するとよい。また、カラー設定時には、「カラー」の文字で表示するとともに、文字色や背景色をカラーで表現するとよい。
【００３３】
あるいは、図７に示すように、表示装置１１ａの画面にイラストやアニメーションを用いて情報を表示してもよい。例えば、カラー設定であればイラストをカラーで表示し、白黒設定であればイラストを白黒で表示する。これにより、カラー条件、白黒条件の設定ミスを低減することが期待できる。
【００３４】
また、原稿サイズの設定が「自動選択」であるときに原稿ｄのサイズを原稿押え・原稿読取部１２の原稿サイズ検知センサ１２ｉが認識できないような場合や、手動で原稿サイズ（読み取りサイズ）を設定したい場合、ユーザ自身が原稿サイズを指定する必要がある。このときも、図８に示すように、原稿設置部１１の原稿設置面に設置した原稿ｄと、原稿設置面である表示装置１１ａに表示される原稿サイズ領域（読み取り領域）のパターンとの重なり具合を確認しながら、原稿サイズを指定することができるため、ユーザが意図した原稿サイズの指定が容易になる。図８においては、図８（ａ）では、原稿ｄに比べて表示装置１１ａに表示される原稿サイズ領域（読み取り領域）のパターンＰ（Ａ４ヨコ）は大きすぎて適切ではないことが容易に把握でき、図８（ｂ）、（ｃ）のように、より小さく適切な原稿サイズ領域（読み取り領域）のパターンＰ（はがきヨコ、はがきタテ）となるように、原稿サイズを変更することができる。
【００３５】
なお、原稿設置部１１上の原稿ｄの画像を読み取るときには、制御部は、読み取り開始条件や原稿押え・原稿読取部１２の開閉検知部１２ｊの検知信号に合わせて、表示装置１１ａの液晶表示の色を調整することにより、読み取り画像の白バランスをとることが可能である。例えば、表示装置１１ａの表示部全面を白色表示とする。
【００３６】
図９は、画像読取装置１０における原稿設置部１１の表示動作（１）を示すフローチャートである。
まず、スタート時に読み取り条件についてユーザが何も設定しない状態では、読み取り条件はデフォルト状態（例では「自動選択」、「カラー」）となっており、操作パネル１８の表示装置１８ａに読み取り条件が表示される（図５（ｂ））。またこのとき、原稿設置部１１の記憶部２  １１ｍ及び原稿押え・原稿読取部１２の記憶部３  １２ｍにも、同様の情報が記憶されている。
（Ｓ１１）  この状態で原稿押え・原稿読取部１２を開くと、原稿設置部１１の原稿設置部制御部１１ｓにより、原稿設置部１１の記憶部２  １１ｍの情報（すなわち、デフォルト状態の読み取り条件の情報）に基づいて、原稿設置部１１の表示装置１１ａに表示を行う（図５（ａ））。
（Ｓ１２）  このとき、原稿押え部開閉検知部１２ｊにより原稿押え・原稿読取部１２の開閉状態をモニターしており、原稿押え・原稿読取部１２が開（オープン）の場合（Ｓ１２のＯＦＦ）、ステップＳ１１に戻る。ここで、原稿押え・原稿読取部１２が開かれた状態でユーザが操作パネル１８の入力部１８ｋを操作するなどして原稿読み取り条件が変更された場合、操作パネル１８の表示装置１８ａ、原稿設置部１１の記憶部２  １１ｍ、原稿押え・原稿読取部１２の記憶部３  １２ｍの読み取り条件の情報が変更されると同時に、原稿設置部１１の表示装置１１ａの表示情報についても原稿設置部制御部１１ｓにより変更される（例えば、図６（ａ），（ｃ），（ｅ））。
このように、原稿設置部制御部１１ｓにより、原稿設置部１１の記憶部２  １１ｍに基づいて、原稿設置部１１の表示装置１１ａに所定の表示が行われる。
続いて、ユーザは、原稿ｄの読み取り面を上向きに、原稿設置部１１の原稿設置面（表示装置１１ａに表示されたパターンＰ）の角に合わせて原稿ｄを設置し、設置完了に伴い、原稿押え・原稿読取部１２を閉じる。
（Ｓ１３）  原稿押え部開閉検知部１２ｊにより原稿押え・原稿読取部１２の閉状態（クローズ）が検知され（Ｓ１２のＯＮ）、原稿押え・原稿読取制御部１２ｓは読み取り開始の信号待ち状態となる。なお、原稿押え・原稿読取部１２が閉状態（クローズ）でユーザが操作パネル１８の入力部１８ｋを操作するなどして原稿読み取り条件を変更した場合には、操作パネル１８の表示装置１８ａ、原稿設置部１１の記憶部２  １１ｍ、原稿押え・原稿読取部１２の記憶部３  １２ｍの読み取り条件の情報のみ変更する。
（Ｓ１４）  ユーザが操作パネル１８の入力部１８ｋの読み取り開始ボタンを押すなどすると操作パネル制御部１８ｓから、あるいはさらに画像形成装置制御部１００ｓを介して原稿押え・原稿読取制御部１２ｓに読み取り開始信号が入力されると（Ｓ１３の有り）、原稿設置部制御部１１ｓは、表示装置１１ａの表示部全面を白等の単色表示に変更する。これにより、読み取り画像の白バランスをとることができる。
ついで、原稿押え・原稿読取制御部１２ｓは、記憶部３  １２ｍの読み取り条件に基づいて原稿設置部１１の原稿ｄの画像読み取り制御を行う。
（Ｓ１５）  このとき、原稿設置部制御部１１ｓは、読み取り完了の信号待ち状態となる。
（Ｓ１６）  予定された画像読取動作が行われ原稿押え・原稿読取部１２から、あるいはさらに画像形成装置制御部１００ｓを介して原稿設置部制御部１１ｓに読み取り完了信号が入力されると（Ｓ１５の有り）、原稿設置部制御部１１ｓは表示装置１１ａの表示をＯＦＦとする。このように、原稿設置部１１の表示装置１１ａの寿命や省エネ等の観点から、表示装置１１ａの表示をユーザが見ることができない状態にある場合など表示装置１１ａの表示が不要な場合においては、該表示装置１１ａの表示をＯＦＦとすることが望ましい。
【００３７】
図１０は、画像読取装置１０における原稿設置部１１の表示動作（２）を示すフローチャートである。
（Ｓ２１）  まず、スタート時に読み取り条件についてユーザが何も設定しない状態では、読み取り条件はデフォルト状態（例では「自動選択」、「カラー」）となっており、操作パネル１８の表示装置１８ａに読み取り条件が表示される（図５（ｂ））。またこのとき、原稿設置部１１の記憶部２  １１ｍ及び原稿押え・原稿読取部１２の記憶部３  １２ｍにも、同様の情報が記憶されている。また、原稿設置部１１の原稿設置部制御部１１ｓにより、原稿設置部１１の記憶部２  １１ｍの情報（すなわち、デフォルト状態の読み取り条件の情報）に基づいて、原稿設置部１１の表示装置１１ａに表示を行う（図５（ａ））。
ここで、ユーザが操作パネル１８の入力部１８ｋを操作するなどして原稿読み取り条件が変更された場合、操作パネル１８の表示装置１８ａ、原稿設置部１１の記憶部２  １１ｍ、原稿押え・原稿読取部１２の記憶部３  １２ｍの読み取り条件の情報が変更されると同時に、原稿設置部１１の表示装置１１ａの表示情報についても原稿設置部制御部１１ｓにより変更される（例えば、図６（ａ），（ｃ），（ｅ））。
このように、原稿設置部制御部１１ｓにより、原稿設置部１１の記憶部２  １１ｍに基づいて、原稿設置部１１の表示装置１１ａに所定の表示が行われる。
このとき、ユーザは、原稿ｄの読み取り面を上向きに、原稿設置部１１の原稿設置面（表示装置１１ａに表示されたパターンＰ）の角に合わせて原稿ｄを設置し、設置完了に伴い、原稿押え・原稿読取部１２を閉じる。
（Ｓ２２）  ついで、原稿押え・原稿読取制御部１２ｓは読み取り開始の信号待ち状態となる。
（Ｓ２３）  ユーザが操作パネル１８の入力部１８ｋの読み取り開始ボタンを押すなどすると操作パネル制御部１８ｓから、あるいはさらに画像形成装置制御部１００ｓを介して原稿押え・原稿読取制御部１２ｓに読み取り開始信号が入力されると（Ｓ２２の有り）、原稿設置部制御部１１ｓは、表示装置１１ａの表示部全面を白等の単色表示に変更する。これにより、読み取り画像の白バランスをとることができる。
ついで、原稿押え・原稿読取制御部１２ｓは、記憶部３  １２ｍの読み取り条件に基づいて原稿設置部１１の原稿ｄの画像読み取り制御を行う。
（Ｓ２４）  このとき、原稿設置部制御部１１ｓは、読み取り完了の信号待ち状態となる。
予定された画像読取動作が行われ原稿押え・原稿読取部１２から、あるいはさらに画像形成装置制御部１００ｓを介して原稿設置部制御部１１ｓに読み取り完了信号が入力されると（Ｓ２４の有り）、ステップＳ２１に戻る。
【００３８】
図１１は、画像読取装置１０において読み取り条件変更の有無それぞれに対応した原稿設置部制御部１１ｓの動作を示すフローチャートである。この制御は、図９のステップＳ１１，Ｓ１２の段階や図１０のステップＳ２１の段階など読み取り条件に基づいた情報を表示装置１１ａに表示するときに行われる。
（Ｓ３１）  原稿設置部制御部１１ｓは、原稿読み取り条件の変更の有無を確認する。すなわち、操作パネル１８の入力部１８ｋから、あるいはさらに画像形成装置制御部１００ｓを介して原稿押え・原稿読取制御部１２ｓに読み取り条件の設定変更の信号入力があるか否かが確認される。読み取り条件の設定変更の信号入力がなかった場合（Ｓ３１の無し）、そのままステップＳ３３に進む。
（Ｓ３２）  読み取り条件の設定変更の信号入力があった場合（Ｓ３１の有り）、原稿設置部制御部１１ｓは、原稿押え・原稿読取制御部１２ｓへ入力された読み取り条件の情報を記憶部２  １１ｍに記憶させて、ステップＳ３３に進む。
（Ｓ３３）  原稿設置部制御部１１ｓは、原稿設置部１１の記憶部２  １１ｍの情報に基づいた情報を表示装置１１ａに表示させる。すなわち、装置スタート時などで読み取り条件の設定変更の信号入力がなかった場合には、デフォルトの読み取り条件に基づいた表示が行われる（例えば、図５（ａ））。一方、読み取り条件の設定変更の信号入力があった場合には、変更された読み取り条件に基づいた表示が行われる（例えば、図６（ａ），（ｃ），（ｅ））。
【００３９】
このように、表示装置１１ａに画像読取装置１０の読み取り条件に基づいた情報が表示されると、ユーザは読み取り条件の設定情報や設定位置を容易に把握することができ、原稿サイズの設定やカラー設定などの設定内容の確認漏れや操作ミスをなくすことが可能となる。また、読み取り対象の原稿ｄを原稿設置部１１における原稿設置面の適切な位置に設置し、適切な読み取り条件で画像読み取りを実行させることが可能となる。
【００４０】
（第２の実施形態）
つぎに、本発明の第２の実施形態について説明する。
図１２は、本発明に係る画像読取装置の第２の実施形態における構成を示す断面図である。なお、図中の符号が第１の実施形態と同じものは構成及び機能が同じである。
画像読取装置２０は、読み取り対象の原稿ｄが設置される原稿設置部１１と、原稿設置部１１に設置された原稿ｄを押える原稿押え部２２と、原稿ｄの画像を読み取る原稿読取部２４と、原稿設置部１１に設置された原稿ｄを原稿読取部２４に搬送する原稿送り部（原稿搬送機構）２３と、原稿読取部２４の読み取り条件を記憶する記憶部（図１４における記憶部２４ｍ）と、前記記憶部に記憶された複数の読み取り条件のうち、いずれか一つの読み取り条件に基づいて原稿読取部２４を制御する制御部（図１４における原稿読取制御部２４ｓ）と、を備える。
【００４１】
ここで、原稿設置部１１は、原稿設置面に前記制御部が使用する読み取り条件に基づいた情報を表示する表示装置１１ａを有する（図２）。また、画像読取装置２０において、原稿設置部１１はユーザがその主面を見やすい位置に配置されるが、該原稿設置部１１に隣接して操作パネル１８が設けられている。
【００４２】
原稿押え部２２は、原稿設置部１１の原稿設置面に対して開閉可能に取り付けられた部材であり、ユーザが原稿押え部２２の一端を引き上げると原稿設置部１１の原稿設置面が露出して原稿ｄの設置が可能となり（開状態）、原稿押え部２２を原稿設置部１１の原稿設置面に重なるように戻すと原稿設置面上の原稿ｄを上から覆って位置を固定するように押えるようになる（閉状態）。
【００４３】
原稿送り部２３は、原稿設置部１１の原稿設置面の所定位置にある原稿ｄを原稿読取部２４の原稿読み取り領域の所定位置まで搬送する原稿搬送機構であり、例えば従来公知の自動原稿送り装置（Ａｕｔｏ  Ｄｏｃｕｍｅｎｔ  Ｆｅｅｄｅｒ（ＡＤＦ））を適用するとよい。
【００４４】
図１３に、原稿読取部２４の断面構成を示す。
原稿読取部２４は、箱型の筐体２４ｈとコンタクトガラス２４ｇとからなるケース部材と、筐体２４ｈの中に収納され、コンタクトガラス２４ｇ上に設置された原稿ｄの幅方向に延びるライン状の光源２４ｂからの光線をコンタクトガラス２４ｇを透過させて該原稿ｄに出射するとともに、ミラー２４ｃで原稿ｄからの反射光を所定方向に反射しながら、原稿ｄの長手方向（副走査方向）に走査（スキャン）されるスキャナ用光源ユニット２４ａと、原稿ｄの反射光を集光するレンズ２４ｄと、レンズ２４ｄで集光された光を検知して信号を出力するスキャナセンサ２４ｅと、スキャナセンサ２４ｅからの信号を受けるスキャナ制御部２４ｆと、から構成されている。なお、スキャナ制御部２４ｆは、原稿読取制御部（後述）を経由して、スキャナセンサ２４ｅにより読み取られた画像を設定された用紙サイズあるいは印刷倍率に応じた印刷データとして出力する画像処理部が接続されている。
【００４５】
つぎに、本発明の画像読取装置２０を搭載した画像形成装置について説明する。
図１４は、本発明に係る画像形成装置の第２の実施形態の構成を示すブロック図である。
画像形成装置２００は、前述した画像読取装置２０と、画像形成装置本体１００Ａとを相互に情報のやり取り可能に接続してなるものである。
【００４６】
ここで、画像読取装置２０は、原稿設置部１１，操作パネル１８，原稿押え部２２，原稿送り部２３，原稿読取部２４の各機能ブロックを有する。このうち、原稿設置部１１、操作パネル１８の機能は第１の実施形態の画像形成装置１００のものと同じである。
【００４７】
原稿押え部２２においては、用紙サイズ検知センサ２２ｉ，原稿押え部開閉検知部２２ｊ，原稿押え制御部２２ｓを備え、原稿押え制御部２２ｓが用紙サイズ検知センサ２２ｉ，原稿押え部開閉検知部２２ｊの情報（信号６，７）を受けるようになっている。また、原稿押え制御部２２ｓは、原稿設置部制御部１１ｓ，原稿読取制御部２４ｓ，画像形成装置制御部１００ｓそれぞれとも通信可能に接続されている（信号１３，１４，１８）。
【００４８】
原稿読取部２４においては、光源ユニット２４ａ，スキャナセンサ２４ｅ，記憶部２４ｍ，原稿読取制御部２４ｓを備え、原稿読取制御部２４ｓが記憶部２４ｍとの情報のやり取り（信号１０）を行い、光源ユニット２４ａの駆動制御（信号９）を行い、さらにスキャナセンサ２４ｅの検知信号（信号８）をスキャナ制御部２４ｆを介して受けるようになっている。また、原稿読取制御部２４ｓは、原稿押え制御部２２ｓ，原稿送り制御部２３ｓ，画像形成装置制御部１００ｓそれぞれとも通信可能に接続されている（信号１４，１５、１９）。
【００４９】
原稿送り部２３においては、原稿を搬送するためのローラ他２３Ｒ，原稿送り制御部２３ｓを備え、原稿送り制御部２３ｓがローラ他２３Ｒの駆動制御（信号１１）を行うようになっている。また、原稿送り制御部２３ｓは、原稿読取制御部２４ｓ，画像形成装置制御部１００ｓそれぞれとも通信可能に接続されている（信号１５，２０）。
【００５０】
画像形成装置本体１００Ａにおいては、画像形成装置制御部１００ｓ，記憶部１００ｍを備え、画像形成装置制御部１００ｓが記憶部１００ｍとの情報のやり取り（信号２１）をするとともに、原稿設置部制御部１１ｓ，操作パネル制御部１８ｓ，原稿押え制御部２２ｓ，原稿読取制御部２４ｓ，原稿送り制御部２３ｓそれぞれと制御情報の通信（信号１６〜２０）や読み取り画像情報の受信（信号１９）を行っている。
【００５１】
画像形成装置２００では、第１の実施形態と同様に図９〜図１１に示す制御が行われ、ユーザが原稿設置部１１に原稿ｄを設置しようとする際には、表示装置１１ａに原稿読取制御部２４ｓが使用する読み取り条件に基づいた情報が表示されるようになっている（図５〜図８）。なお、本実施形態では、読み取り開始の信号入力があると（図９のステップＳ１３の有り、図１０のステップＳ２２の有り）、原稿送り部２３が作動して原稿設置部１１の原稿ｄを原稿読取部２４まで搬送することが行われる。また、図９におけるステップＳ１４、図１０におけるステップＳ２３は省略される。
【００５２】
このように、表示装置１１ａに画像読取装置２０の読み取り条件に基づいた情報が表示され、ユーザは読み取り条件の設定情報や設定位置を容易に把握することができ、原稿サイズの設定やカラー設定などの設定内容の確認漏れや操作ミスをなくすことが可能となる。また、読み取り対象の原稿ｄを原稿設置部１１における原稿設置面の適切な位置に設置し、適切な読み取り条件で画像読み取りを実行させることが可能となる。
【００５３】
（第３の実施形態）
つぎに、本発明の第３の実施形態について説明する。
図１５は、本発明に係る画像読取装置の第３の実施形態における構成を示す断面図である。なお、図中の符号が第１，２の実施形態と同じものは構成及び機能が同じである。
画像読取装置３０は、前記原稿送り部と原稿読取部を一体化させた構成となっており、読み取り対象の原稿ｄが設置される原稿設置部１１と、原稿設置部１１に設置された原稿ｄを押える原稿押え部２２と、原稿設置部１１に設置された原稿ｄを原稿排出部３３ｔまで排出する原稿搬送機構及び原稿設置部１１から原稿排出部３３ｔまでの搬送経路上に配置され原稿ｄの画像を読み取る原稿読取部３３ｕを有する原稿送り・読取部３３と、原稿読取部３３ｕの読み取り条件を記憶する記憶部（図１７における記憶部３３ｍ）と、前記記憶部に記憶された複数の読み取り条件のうち、いずれか一つの読み取り条件に基づいて原稿読取部３３ｕを制御する制御部（図１７における原稿送り・読取制御部３３ｓ）と、を備える。
【００５４】
ここで、原稿設置部１１は、原稿設置面に前記制御部が使用する読み取り条件に基づいた情報を表示する表示装置１１ａを有する（図２）。また、画像読取装置３０において、原稿設置部１１はユーザがその主面を見やすい位置に配置されるが、該原稿設置部１１に隣接して操作パネル１８が設けられている。
【００５５】
原稿送り・読取部３３における原稿搬送機構には、原稿設置部１１の原稿設置面の所定位置にある原稿ｄを原稿排出部３３ｔまで搬送する従来公知の自動原稿送り装置（Ａｕｔｏ  Ｄｏｃｕｍｅｎｔ  Ｆｅｅｄｅｒ（ＡＤＦ））を適用するとよい。
【００５６】
図１６に、原稿送り・読取部３３の断面構成を示す。
原稿送り・読取部３３は、複数の搬送ローラ及び該搬送ローラを回転駆動させる駆動機構からなるローラ他３３Ｒと、原稿読取部３３ｕと、からなる。ここで、原稿設置部１１上の原稿ｄはローラ他３３Ｒにより該原稿設置部１１から原稿排出部３３ｔまで所定の搬送経路３３Ｌ上を搬送されるが、該搬送経路３３Ｌの途中に配置された原稿読取部３３ｕにより原稿ｄの画像を読み取られるようになっている。なお、原稿読取部３３ｕは光学的に画像を読み取る装置であり、例えば通過する原稿ｄにライン状の光線を照射する光源と、原稿ｄからの反射光を集光するレンズと、該レンズで集光された光を検知して信号を出力するスキャナセンサと、スキャナセンサからの信号を受けるスキャナ制御部と、から構成されている。またスキャナ制御部は、原稿読取制御部（後述）を経由して、スキャナセンサにより読み取られた画像を設定された用紙サイズあるいは印刷倍率に応じた印刷データとして出力する画像処理部が接続されている。
【００５７】
つぎに、本発明の画像読取装置３０を搭載した画像形成装置について説明する。
図１７は、本発明に係る画像形成装置の第３の実施形態の構成を示すブロック図である。
画像形成装置３００は、前述した画像読取装置３０と、画像形成装置本体１００Ａとを相互に情報のやり取り可能に接続してなるものである。
【００５８】
ここで、画像読取装置３０は、原稿設置部１１，操作パネル１８，原稿押え部２２，原稿送り・読取部３３の各機能ブロックを有する。このうち、原稿設置部１１、操作パネル１８の機能は第１の実施形態の画像形成装置１００のものと同じであり、原稿押え部２２の機能は第２の実施形態の画像形成装置２００のものと同じである。
【００５９】
原稿送り・読取部３３においては、光源ユニット３３ａ，スキャナセンサ３３ｅ，記憶部３３ｍ，ローラ他３３Ｒ，原稿送り・読取制御部３３ｓを備え、原稿読取制御部３３ｓが記憶部３３ｍとの情報のやり取り（信号１０）を行い、ローラ他３３Ｒの駆動制御（信号１１）や光源ユニット３３ａの駆動制御（信号９）を行い、さらにスキャナセンサ３３ｅの検知信号（信号８）をスキャナ制御部を介して受けるようになっている。また、原稿送り・読取制御部３３ｓは、原稿押え制御部２２ｓ，画像形成装置制御部１００ｓそれぞれとも通信可能に接続されている（信号１４，１８）。
【００６０】
画像形成装置本体１００Ａにおいては、画像形成装置制御部１００ｓ，記憶部１００ｍを備え、画像形成装置制御部１００ｓが記憶部１００ｍとの情報のやり取り（信号１９）をするとともに、原稿設置部制御部１１ｓ，操作パネル制御部１８ｓ，原稿押え制御部２２ｓ，原稿送り・読取制御部３３ｓそれぞれと制御情報の通信（信号１５〜１８）や読み取り画像情報の受信（信号１８）を行っている。
【００６１】
画像形成装置３００では、第１の実施形態と同様に図９〜図１１に示す制御が行われ、ユーザが原稿設置部１１に原稿ｄを設置しようとする際には、表示装置１１ａに原稿送り・読取制御部３３ｓが使用する読み取り条件に基づいた情報が表示されるようになっている（図５〜図８）。なお、本実施形態では、読み取り開始の信号入力があると（図９のステップＳ１３の有り、図１０のステップＳ２２の有り）、原稿送り・読取部３３が作動して原稿設置部１１の原稿ｄを原稿排出部３３ｔまで搬送しつつ、該原稿ｄの画像の読み取りが行われる。また、図９におけるステップＳ１４、図１０におけるステップＳ２３は省略される。
【００６２】
このように、表示装置１１ａに画像読取装置３０の読み取り条件に基づいた情報が表示され、ユーザは読み取り条件の設定情報や設定位置を容易に把握することができ、原稿サイズの設定やカラー設定などの設定内容の確認漏れや操作ミスをなくすことが可能となる。また、読み取り対象の原稿ｄを原稿設置部１１における原稿設置面の適切な位置に設置し、適切な読み取り条件で画像読み取りを実行させることが可能となる。
【００６３】
なお、これまで本発明を図面に示した実施形態をもって説明してきたが、本発明は図面に示した実施形態に限定されるものではなく、他の実施形態、追加、変更、削除など、当業者が想到することができる範囲内で変更することができ、いずれの態様においても本発明の作用・効果を奏する限り、本発明の範囲に含まれるものである。
【符号の説明】
【００６４】
１０，２０，３０    画像読取装置
１１    原稿設置部
１１ａ    表示装置
１１ｍ，１２ｍ，１８ｍ，２４ｍ，３３ｍ，１００ｍ    記憶部
１１ｓ    原稿設置部制御部
１２    原稿押え・原稿読取部
１２ａ，２４ａ，３３ａ    光源ユニット
１２ｂ，２４ｂ    光源
１２ｃ，２４ｃ    ミラー
１２ｄ，２４ｄ    レンズ
１２ｅ，２４ｅ，３３ｅ    スキャナセンサ
１２ｆ，２４ｆ    スキャナ制御部
１２ｇ，２４ｇ    コンタクトガラス
１２ｈ，２４ｈ    筐体
１２ｉ，２２ｉ    用紙サイズ検知センサ
１２ｊ，２２ｊ    原稿押え部開閉検知部
１２ｓ    原稿押え・原稿読取制御部
１８    操作パネル
１８ａ    表示部１（表示装置）
１８ｋ    入力部
１８ｓ    操作パネル制御部
２２    原稿押え部
２２ｓ    原稿押え制御部
２３    原稿送り部
２３Ｒ    ローラ他
２３ｓ    原稿送り制御部
２４，３３ｕ    原稿読取部
２４ｓ    原稿読取制御部
３３    原稿送り・読取部
３３Ｌ    搬送経路
３３ｓ    原稿送り・読取制御部
３３ｔ    原稿排出部
１００，２００，３００    画像形成装置
１００Ａ    画像形成装置本体
１００ｓ    画像形成装置制御部
ｄ    原稿
Ｐ    パターン
【先行技術文献】
【特許文献】
【００６５】
【特許文献１】特開２０００−３５８１３１号公報
【図１】
2010213055.tif 000003
【図２】
2010213055.tif 000004
【図３】
2010213055.tif 000005
【図４】
2010213055.tif 000006
【図５】
2010213055.tif 000007
【図６】
2010213055.tif 000008
【図７】
2010213055.tif 000009
【図８】
2010213055.tif 000010
【図９】
2010213055.tif 000011
【図１０】
2010213055.tif 000012
【図１１】
2010213055.tif 000013
【図１２】
2010213055.tif 000014
【図１３】
2010213055.tif 000015
【図１４】
2010213055.tif 000016
【図１５】
2010213055.tif 000017
【図１６】
2010213055.tif 000018
【図１７】
2010213055.tif 000019
【図１８】
2010213055.tif 000020